(57)【要約】【課題】  開封にともなって窓の透明シートの取り外しが行える、リサイクル使用に便利な窓付き封筒を提供する。【解決手段】  封筒本体２の窓３の内面側に透明シート５が貼られた窓付き封筒において、封筒本体２に開封用切り離し部６が設けられ、透明シート５はその貼り付けが取り剥がし可能に行われるとともに、開封用切り離し部６を越える位置まで延び出し配置されてなる窓付き封筒。【選択図】図１
0003156977.tif 000002
【実用新案登録請求の範囲】
【請求項１】
封筒本体の窓の内面側に透明シートが貼られた窓付き封筒において、
前記封筒本体に開封用切り離し部が設けられ、
前記透明シートはその貼り付けが取り剥がし可能に行われるとともに、前記開封用切り離し部を越える位置まで延び出し配置されてなる、
ことを特徴とする窓付き封筒。
【請求項２】
前記開封用切り離し部がミシン目である請求項１記載の窓付き封筒。
【請求項３】
前記透明シートの貼り付けが粘着材による請求項１記載の窓付き封筒。
【請求項４】
前記透明シートの延び出し配置された部分が、前記封筒の内面に取り剥がし可能に貼り付けられてなる請求項１記載の窓付き封筒。
【考案の詳細な説明】
【技術分野】
【０００１】  この考案は、窓付き封筒の改良に関する。
【背景技術】
【０００２】  最近においては、使用済みの封筒を再生紙としてリサイクル使用することが行われている。その際、窓付き封筒の場合には、窓の内面に貼り付けられたセロファン等の合成樹脂製の透明シートを取り除く必要があり、その作業は人手を要するので非常に手間がかかり、この点が窓付き封筒のリサイクル使用の妨げとなっている。
【考案の概要】
【考案が解決しようとする課題】
【０００３】  そこで、その取り除きが容易に行われるように、封筒の窓部分をミシン目で囲うようにして切り離せるようにしたものがあるが、その切り離しに手間がかかる。また、透明シートを粘着材により貼り付け取り剥がしが容易にできるようにしたものもあるが、その場合も封筒を開いた後に別途取り外す手間がかかる。【０００４】  この考案は、上記の事情に鑑みて行ったもので、開封にともなって窓の透明シートの取り外しが行える、リサイクル使用に便利な窓付き封筒を提供することを目的とする。【０００５】  この考案では、封筒本体の窓の内面側に透明シートが貼られた窓付き封筒において、前記封筒本体に開封用切り離し部が設けられ、前記透明シートはその貼り付けが取り剥がし可能に行われるとともに、前記開封用切り離し部を越える位置まで延び出し配置されてなることを特徴とする窓付き封筒を提供する。【０００６】  透明シートの開封用切り離し部を越える位置まで延び出し配置された部分を押さえる状態において、開封用切り離し部で窓の有る側を窓の無い側から切り離すと、透明シートが取り剥がし可能に貼り付けられていることで透明シートは窓の有る側から分離して取り外すことができる。【０００７】  開封用切り離し部は適宜の構成によればよいが、例えば、ミシン目により形成される。透明シートの取り剥がしは適宜の構成によればよいが、例えば、粘着材の使用により行われる。また、透明シートの延び出し配置された部分が、封筒の内面に取り剥がし可能に貼り付けられてなる構成とされることで、郵便物を封筒への差し入れが、その透明シートの延び出し部が邪魔となることなく行える。
【考案の効果】
【０００８】  この考案によれば、開封にともなって窓の透明シートの取り外しが行える、リサイクル使用に便利な窓付き封筒を提供することを目的とする。
【図面の簡単な説明】
【０００９】
【図１】  この考案の封筒の実施形態の正面図
【図２】  この考案の封筒の実施形態の背面図
【図３】  この考案の封筒製作に使用する基材シートの実施形態の展開図
【図４】  この考案の封筒の開封説明図
【図５】  この考案の封筒の異なる実施形態の正面図
【図６】  この考案の封筒の異なる実施形態の背面図
【図７】  この考案の封筒製作に使用する基材シートの異なる実施形態の展開図
【考案を実施するための形態】
【００１０】  図１はこの考案の封筒の実施形態の正面図、図２は同背面図、図３は封筒製作に使用する基材シートの実施形態の展開図でその内面側を示す。封筒１は封筒本体２の前面の一方側上部にセロハン等の透明シート５が内面側に貼られた送り先住所表示用の窓３を備えている。６は開封用切り離し部となるミシン目である。
【００１１】  上記透明シート５はその一方側に延び出し部７を一体に備え、その延び出し部７は封筒本体２の窓３のある側Ａからミシン目６を越えて窓のない側Ｂにまで至っている。透明シート５はその周囲部が粘着材９により封筒本体２の内面に貼り付けられ、一方の側部は延び出し部７部分において貼り付けられている。
【００１２】  窓付き封筒１の製作は、基材シート１０の下側部１１が窓３を有し透明シート５が貼られた中央部１２上に折り畳まれるとともに、その上部に上側部１４が折り畳まれて下側部１１と上側部１４との縁部どうしが貼り合わされ、さらに底部１５が上側部１４と下側部１１上に折り畳まれて貼り付けられることで行われる。
【００１３】  窓付き封筒１の開封は、ミシン目６により形成される裏面側の指かけ部２０を始めに切り離して封筒本体２の裏側に位置する部分を一体に立ち上げ、図１の状態において、窓３の無い側Ｂのミシン目６の側位置、すなわち、透明シート５の延び出し部７が存在する位置Ｘを一方の手で押さえ、窓３のある側Ａの窓３とミシン目６との間部分Ｙを他方の手で持ってミシン目６を切り離していき、さらに、窓３のある側Ａを左側に引っ張るようにしてミシン目６を切り離していく。
【００１４】  これにより、窓３の有る側Ａは両側に分かれるミシン目６に沿って窓の無い側Ｂから、図４に示すように、切り離されて開封される。その際透明シート５の延び出し部７が存在する位置を右手で押さえていることで、透明シート６はその位置に残り、粘着材９で貼られていることでその透明シート５から窓３の有る側Ａが剥がれていく。この開封された状態において内部の郵便物の取出しが可能となる。上記において、ミシン目６により指かけ部２０が設けられており、また、ミシン目６に湾曲部６ａが備えられていることで、切り離し作業が容易、かつ、スムーズになされる。
【００１５】  次に、位置Ｘから手を離し、露呈する透明シート６を少し力をかけて引き出すことで、窓３の無い側Ｂにおいて粘着材９による貼り付け部が剥がれて透明シート６が窓付き封筒１から完全に取り外される。透明シート５の延び出し部７は必ずしも粘着材９で貼り付けなくてもよいが、貼り付け固定されることで郵便物の差し入れが、その透明シート５の延び出し部７が邪魔となることなくスムーズに行える。
【００１６】  図５はこの考案の窓付き封筒の他の実施形態の正面図、図６は同背面図、図７は封筒製作に使用する基材シートの実施形態の展開図でその内面側を示す。この実施形態の封筒１００は郵便物の差し入れ開口５０をその長手方向の一方側としており、かつ、ミシン目５３で区切られる側Ａと側Ｂとのそれぞれに窓５１、５２を備えている。大きい方の窓５１が送り先住所表示用で、小さい方の窓５２が送り主住所表示用であり、透明シート５５の延び出し部５６はその小さい方の窓５２の内側を覆うように配置されている。
【００１７】  この実施形態の封筒１００においても、上記実施形態のものと同様にしてミシン目５３位置で切り離されることで側Ａが開かれて開封がなされるとともに、それに伴って容易に透明シート５５の取り外しが行える。図７において、１１０は基材シート、６０は粘着材である。
【符号の説明】
【００１８】  １    封筒
２    封筒本体
３    窓
５    透明シート
６    ミシン目（開封用切り離し部）
７    延び出し部
【図１】
0003156977.tif 000003
【図２】
0003156977.tif 000004
【図３】
0003156977.tif 000005
【図４】
0003156977.tif 000006
【図５】
0003156977.tif 000007
【図６】
0003156977.tif 000008
【図７】
0003156977.tif 000009